【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】ｊビット（ｊは自然数）の第１のデジタルデータをｋビット（ｋは自然数）の第２のデジタルデータに変換し、
前記第２のデジタルデータにオフセットデータを加算し、第３のデジタルデータを生成すること、
を特徴とする電子回路。
【請求項２】請求項１に記載の電子回路において、
前記オフセットデータもビット数は前記第２のデジタルデータと同一であること、
を特徴とする電子回路。
【請求項３】請求項１又は２に記載の電子回路において、
前記第２のデジタルデータのビット数は前記第１のデジタルデータのビット数よりも大きいこと、
を特徴とする電子回路。
【請求項４】請求項２に記載の電子回路において、
前記オフセットデータは、連続性を補償するためのものであること、
を特徴とする電子回路。
【請求項５】ｊビット（ｊは自然数）の第１のデジタルデータをｋビット（ｋは自然数）の第２のデジタルデータに変換し、
前記第２のデジタルデータが第１のグループに属するときは、前記第２のデジタルデータにはオフセットデータを加算して、第３のデジタルデータを生成し、
前記第１のデジタルデータが第２のグループに属するときは、前記第２のデジタルデータに前記オフセットデータを加算せずに、前記第３のデジタルデータを生成すること、
を特徴とする電子回路。
【請求項６】請求項５に記載の電子回路において、
前記第１のグループは第１の階調の範囲に対応し、
前記第２のグループは前記第１の階調の範囲とは異なる第２の階調の範囲に対応すること、
を特徴とする電子回路。
【請求項７】請求項５又は６に記載の電子回路において、
前記オフセットデータは、前記第１のグループと前記第２のグループとの間の連続性を補償すること、
を特徴とする電子回路。
【請求項８】請求項１乃至の何れかに記載の電子回路において、
さらに複数のトランジスタを含み、
前記複数のトランジスタの各々のオン・オフ制御は、前記第３のデジタルデータにより行うこと、
を特徴とする電子回路。
【請求項９】請求項１乃至８の何れかに記載の電子回路において、
前記電子回路は、前記複数のトランジスタを介してアナログ電流を出力すること、
を特徴とする電子回路。
【請求項１０】請求項１乃至９のいずれかに記載の電子回路と、
電気光学素子と、を備えた電気光学装置。
【請求項１１】ｊビット（ｊは自然数）の第１のデジタルデータをｋビット（ｋは自然数）の第２のデジタルデータに変換し、前記第２のデジタルデータが第１の階調の範囲に属するときは、前記第２のデジタルデータにはオフセットデータを加算して、第３のデジタルデータを生成し、前記第１のデジタルデータが第２の階調の範囲に属するときは、前記第２のデジタルデータに前記オフセットデータを加算せずに、前記第３のデジタルデータを生成する補正回路と、
前記第３のデジタルデータが入力されるデジタル・アナログ変換回路と、
前記デジタル・アナログ変換回路の出力に応じて輝度が設定される電気光学素子と、を含むこと、
を特徴とする電気光学装置。
【請求項１２】請求項１１に記載の電気光学装置において、
前記オフセットデータは、前記第１の階調の範囲と前記第２の階調の範囲との連続性を補償するものであること、
を特徴とする電気光学装置。
【請求項１３】請求項１１又は１２に記載の電気光学装置において、
前記デジタル・アナログ変換回路の前記出力は、アナログ電流であること、
を特徴とする電気光学装置。
【請求項１４】請求項１０乃至１３のいずれかに記載の電気光学装置において、
前記電気光学素子は、EL素子であること、
を特徴とする電気光学装置。
【請求項１５】請求項１乃至９のいずれかの電子回路又は請求項１０乃至１４のいずれかに記載の電気光学装置を備えた電子機器。
【手続補正２】
【補正対象書類名】明細書
【補正対象項目名】０００６
【補正方法】変更
【補正の内容】
【０００６】
【課題を解決するための手段】
本発明に係る電子回路は、ｊビット（ｊは自然数）の第１のデジタルデータをｋビット（ｋは自然数）の第２のデジタルデータに変換し、前記第２のデジタルデータにオフセットデータを加算し、第３のデジタルデータを生成すること、を特徴とする。
上記の電子回路において、前記オフセットデータもビット数は前記第２のデジタルデータと同一であることが好ましい。
上記の電子回路において、前記第２のデジタルデータのビット数は前記第１のデジタルデータのビット数よりも大きいことが好ましい。
上記の電子回路において、前記オフセットデータは、連続性を補償するためのものであってもよい。
本発明の他の電子回路は、ｊビット（ｊは自然数）の第１のデジタルデータをｋビット（ｋは自然数）の第２のデジタルデータに変換し、前記第２のデジタルデータが第１のグループに属するときは、前記第２のデジタルデータにはオフセットデータを加算して、第３のデジタルデータを生成し、前記第１のデジタルデータが第２のグループに属するときは、前記第２のデジタルデータに前記オフセットデータを加算せずに、前記第３のデジタルデータを生成することを特徴とする。
上記の電子回路において、前記第１のグループは第１の階調の範囲に対応し、前記第２のグループは前記第１の階調の範囲とは異なる第２の階調の範囲に対応することが好ましい。
上記の電子回路において、前記オフセットデータは、前記第１のグループと前記第２のグループとの間の連続性を補償することが好ましい。
上記の電子回路において、さらに複数のトランジスタを含み、前記複数のトランジスタの各々のオン・オフ制御は、前記第３のデジタルデータにより行うことが好ましい。
上記の電子回路において、前記電子回路は、前記複数のトランジスタを介してアナログ電流を出力するようにしてもよい。
上記の電子回路と、電気光学素子と、から電気光学装置を構成することが可能である。
本発明に係る電気光学装置は、ｊビット（ｊは自然数）の第１のデジタルデータをｋビット（ｋは自然数）の第２のデジタルデータに変換し、前記第２のデジタルデータが第１の階調の範囲に属するときは、前記第２のデジタルデータにはオフセットデータを加算して、第３のデジタルデータを生成し、前記第１のデジタルデータが第２の階調の範囲に属するときは、前記第２のデジタルデータに前記オフセットデータを加算せずに、前記第３のデジタルデータを生成する補正回路と、前記第３のデジタルデータが入力されるデジタル・アナログ変換回路と、前記デジタル・アナログ変換回路の出力に応じて輝度が設定される電気光学素子と、を含むこと、を特徴とする。
上記の電気光学装置において、前記オフセットデータは、前記第１の階調の範囲と前記第２の階調の範囲との連続性を補償するものであることが好ましい。
上記の電気光学装置において、前記デジタル・アナログ変換回路の前記出力は、アナログ電流であってもよい。
上記の電気光学装置において、前記電気光学素子は、EL素子であってもよい。
上記の電子回路又は上記の電気光学装置を用いて電子機器を構成することが可能である。
本発明における他の電子回路は、ｊビット（ｊは自然数）のデジタルデータをシフトすることでｋビット（ｋは自然数）のデジタルデータに変換するシフト回路と、前記シフト回路と電気的に接続し、同シフト回路にて得られた前記ｋビットのデジタルデータを前記ｊビットのデジタルデータの変化に伴って連続して変化させるための補正回路とを備えた。